(57)【要約】      （修正有）【課題】自然な土踏まず支持を提供する靴又は中敷きを製造でき、小売店でも導入できる装置を提供する。【解決手段】熱可塑性樹脂材料から成る少なくとも１つの層を含む中敷きを製造するための装置であって、依頼者のための適当な中敷きプレフォームを選択するための足分析手段であって、ポドスコープ３０２と、画像データ取得手段３０４と、画像データ可視化手段とを有する足分析手段と、該足分析手段を統合ユニットに一体化するためのフレーム３０８ａ〜ｃとを含む。【選択図】図３ａ
0003152863.tif 000002
【実用新案登録請求の範囲】
【請求項１】
靴またはその他の履物のための中敷きを製造する工程で使用される装置であって、該中敷きが熱可塑性樹脂材料から成る少なくとも１つの層を含む装置において、
依頼者のための適当な中敷きプレフォームを選択するための足分析手段であって、ポドスコープと、画像データ取得手段と、画像データ可視化手段とを有する足分析装置と、該足分析手段を統合ユニットに一体化するためのフレームとを含むことを特徴とする装置。
【請求項２】
前記フレームは、ポドスコープのためのハウジングと、その下部から該ハウジングまで結合される垂直支持体と、該垂直支持体の上部に結合される水平支持体とを含むことを特徴とする請求項１記載の装置。
【請求項３】
前記ハウジングは基礎台であり、前記ハウジングには、前記ポドスコープが埋設されるように構成されることを特徴とする請求項２記載の装置。
【請求項４】
前記画像データ取得手段は、前記垂直支持体の下部に結合されることを特徴とする請求項２記載の装置。
【請求項５】
前記水平支持体は、前記画像データ可視化手段のための面として使用されるように構成されることを特徴とする請求項２記載の装置。
【請求項６】
前記画像データ可視化手段は、コンピュータおよび／またはプリンタを含むことを特徴とする請求項１〜５のいずれか１項に記載の装置。
【請求項７】
前記画像データ取得手段は、カメラまたは光学スキャナを含むことを特徴とする請求項１〜６のいずれか１項に記載の装置。
【請求項８】
少なくとも１つの型取りパッドを有する型スタンドをさらに含むことを特徴とする請求項１〜７のいずれか１項に記載の装置。
【請求項９】
前記型スタンドは、前記ポドスコープの頂部に着脱可能に配置されるように構成されることを特徴とする請求項８に記載の装置。
【請求項１０】
前記型スタンドは、前記ポドスコープの頂部に着脱可能に配置されるようにハウジングに取り付けられることを特徴とする請求項８または９記載の装置。
【請求項１１】
該装置は、靴またはその他の履物の製造のための工程で使用されるように構成されており、該靴または他の履物は、熱可塑性樹脂材料から成る少なくとも１つの層を有する靴底を含むことを特徴とする請求項１記載の装置。
【考案の詳細な説明】
【考案の詳細な説明】
【０００１】
考案の分野
本考案は、履物に関し、より詳しくは個人用の中敷き、靴およびその他の履物を形成するための装置に関する。
【０００２】
考案の背景
世界人口の約７０％の人々が足に関する問題に悩まされている。全ての人々のごく一部の人が、問題の一部を軽減する中敷きを購入する機会を得ているにすぎない。最近では、カスタムメイドの靴や中敷きが靴職人、理学療法士または足病治療者によって製造されている。これまでところ、関連した販売システムは、かなりの時間と費用とを消費する。特別製の中敷きに１２０〜２５０ユーロを支払ったり誂え靴に３００ユーロ以上を支払うことを厭わない人は、前記職人またはその遠隔地のパートナーの一人を訪ねて、たとえば足のサイズおよび他の特徴、有利には問題を生じる特徴をも含む足の特徴を入手し、その後、職人による実際の製造が開始するための順番待ちリストに注文される。注文からカスタマイズされた中敷き／靴を受け取るまでの間の遅れは、しばしば、数日から数週間にまで拡大し、それは特に一般の依頼者の立場からは全ての過程をかなりぎこちないものにする。足の動き／足取りの問題は、靴底、踝、膝、尻、背中などに影響するので、それらの治療および予防は、人間の健康に、とりわけよい。一人の人間は、毎日１５０００歩〜１６０００歩を歩く。スポーツにおいて、足には何度も体重がかかる。たとえば、地面からの力は、ランニング中では体重の約３倍であり、ジャンプおよび他の不規則な動きによるバスケットボールのプレー中では７．５倍である。足の位置が正しければ、負荷は上部関節に均等に分散される。
【０００３】
一般的な状態と呼ばれる回内は、足（特に踵および土踏まず）の内側（すなわち正中）回転を意味し、それは足が大きく回転し過ぎると過回内になる。対照的に、過回外は小さ過ぎる内側回転によって引き起こされる。両条件は、容易に足および体の種々の関節に痛み、摩耗および圧力損傷すら容易に引き起こす。
【０００４】
別の（土踏まず）支持中敷きは、足の位置を矯正するために利用可能である。それらは、長手方向の中央と横方向の土踏まずを支持するために設計されているが、別個に接着されたウェッジがなく、それらは実際には足の位置を矯正しない。ウェッジングは時間がかかる高価な工程である。得られる結果は、仕事をしている担当者に依存し、あまり精密でない傾向がいまだにある。また、他の欠点として、ウェッジを靴底に接着剤で張り付けたのち、まずウェッジを除去しないと新しい型を取ることができない。
【０００５】
中敷きにおける既製の支持材は、任意の足に完全に合うものを提供していない。なぜなら、人々は同一の足の形状を一般的には有していないからである。したがって、多くの支持中敷きは、それらのひどい履き心地によって最終的に不便に思える。
【０００６】
考案の要約
ここにいたって、改良方法および方法を実施する技術的装置が考案された。それにより、個々に形成された靴または中敷きを製造することができる。該靴または中敷きは自然な土踏まず支持を提供する。本考案は、とりわけ装置に関し、該装置は独立請求項に記載された内容によって特徴付けられる。考案の種々の実施形態が、従属請求項に開示される。
【０００７】
本考案は、靴またはその他の履物のための中敷きを製造する工程で使用される装置であって、該中敷きが熱可塑性樹脂材料から成る少なくとも１つの層を含む装置において、依頼者のための適当な中敷きプレフォームを選択するための足分析手段であって、ポドスコープと、画像データ取得手段と、画像データ可視化手段とを有する足分析手段と、該足分析手段を統合ユニットに一体化するためのフレームとを含むことを特徴とする装置が提供される。
【０００８】
実施形態によれば、前記フレームは、ポドスコープのためのハウジングと、その下部から該ハウジングまで結合される垂直支持体と、該垂直支持体の上部に結合される水平支持体とを含む。
【０００９】
実施形態によれば、前記ハウジングは基礎台であり、前記ハウジングには、前記ポドスコープが埋設されるように構成される。
【００１０】
実施形態によれば、前記画像データ取得手段は、前記垂直支持体の下部に結合される。
実施形態によれば、前記水平支持体は、前記画像データ可視化手段の面として使用されるように構成される。
【００１１】
実施形態によれば、該装置は、少なくとも１つの型取りパッドを有する型スタンドをさらに含む。
【００１２】
本考案に従う構成は、有意な利点を提供する。第一に、該装置は、個々に形成された靴または中敷きを製造することを支援し、該靴または中敷きは自然な土踏まず支持を提供し、地面からの力を、足、膝、尻および背中を通してより均等に分散する。第二に、それは、過回内または過回外を減少させ、足取りを再調整する。これは、体の姿勢に積極的に影響を与え、疲労、足首の捻挫、摩擦および痛みを軽減する。該装置に必要とされる床面積は非常に小さく、たとえば０．５ｍ2未満であり、これによって、小さな小売店でも便利に導入することができる。該装置は、固定設置を必要としないので、小売店内で、またはある店から別の店に容易に持ち運ぶことができる。さらに、該装置の設計および寸法は、依頼者の足の分析処置の間依頼者に対して最適化され人間工学を提供するように適合される。
【００１３】
本考案のこの態様およびそれに関する実施形態は、以下の実施形態の詳細な開示を考慮して明らかになるであろう。
【図面の簡単な説明】
【００１４】
以下のとおり、添付図面を参照して、本考案の種々の実施形態がより詳細に説明されるであろう。
【図１】本考案に係る２つの中敷きの実施形態のスケッチである。
【図２】個々に形成された履物がクライアントに提供される本考案の方法の一例を示すフロー図である。
【図３ａ】依頼者に個々に形成された履物を提供する過程で使用される装置の例を示す図である。
【図３ｂ】依頼者に個々に形成された履物を提供する過程で使用される装置の例を示す図である。
【図４】依頼者が足分析を行う間、立っている透明なガラスプレートを含むポドスコープを描く図である。
【図５】図２の方法ステップから選択されたより詳細な図である。
【００１５】
実施形態の説明
プレフォーム（〜ブランケット）中敷きは、少なくとも１層を有し、該層は熱可塑性樹脂から成り、対象とする人（以下、依頼者）の足の少なくとも踵の下から足底弓の下まで延びる。好都合には、ともに結合される２または３の材料層が、依頼者の快適性のためのプレフォーム中敷きに用いられる。プレフォーム中敷きの上層（使用する場合）は、足に当たって配置され、下層が靴に当たって配置される。これら２つの層の材料は、中敷きにおいて使用される先行技術の材料から選ぶことができる。たとえば、下層は、キャリアとしての不織ポリエステルと、押し出し成形コアとしてのアイオノマ樹脂−エチルビニルアセテート混合物と、接着剤としてのＥＶＡホットメルトとを含むRheluflex（Rhenoflex GmbH Ltdの商標）などの既知の材料から構成されてもよい。
【００１６】
中敷きの中間層（３層の場合）は熱可塑性樹脂から成る。使用される熱可塑性樹脂は、既知の熱可塑性樹脂の大きな群から選択できる。重要な値は、温度、いわゆるガラス転移温度であり、この温度で熱可塑性樹脂が可塑性を示し、一方、中敷きを整形した後に温度が低下したときに固形に戻る。この温度は、一般的に、依頼者の足に対して不快であると感じるほどの高温ではない。高いガラス転移温度であるにもかかわらず、熱可塑性樹脂は、熱可塑性樹脂が可塑性、すなわち成形可能なままである場合に足と接触させる前に十分冷却することができるのであれば、依然として利用可能である。可塑性を示す熱可塑性樹脂の適切な温度は、好ましくは、およそ９５℃よりも低く４５℃よりも高い。好都合には、その範囲は５０℃〜８５℃である。前記好適な範囲内で可塑性を示すまたは可塑性である適切な材料は、ＡＰＥＴ（無定形ポリエステルテレフタレート）およびＰＥＴＧ（グリコール修飾ポリエチレンテフタレート、これは共重合ポリエステルである）、または本質的に同様の性質を有するものである。さらに、たとえばＡＢＳ（アクリロニトリル−ブタジエン−スチレン）、ＰＶＣ（ポリビニルクロライド）を使用することができる。
【００１７】
熱可塑性樹脂層の厚みは、該層が剛な状態にあるとき、依頼者の足に合理的な支持を提供するように、好ましくは選択されなければならない。たとえば、足底弓（より厚い）よりもつま先部分（より薄い）の下で可撓性がより望まれる場合には、その厚みは該層全体で変化させてもよい。
【００１８】
熱可塑性樹脂に要求される他の性質は、融点未満では剛であることである。
図１の上部スケッチ１０２において示される実施形態を参照すると、熱可塑性樹脂から成る中間層１０４（または単一の層）は、中敷きの領域全体を側方から覆うことができる。別の実施形態では、スケッチ１１０を参照して、層１１２は中敷きの一部だけを側方から覆う。この選択肢においては、熱可塑性樹脂が少なくとも踵の下から足底弓の下まで長さ方向に延び、好都合には、中敷きのほぼ幅全体に横方向に延びていることが必要である。実現可能な１つの実施は、熱可塑性樹脂層が、横足弓を支持できるように、踵の下から足の中足指節関節まで延びるように設計されている。また、予め切断されたパッドは、中敷きが横足弓を最適な位置に持ち上げるように整形されたときに、横足弓の下におくことできる。しかしながら、靴の中に中敷きを敷いたときに少し調整が必要となる場合には、硬質の熱可塑性樹脂なしに、この中敷きのエッジでいくつかの範囲を保持するのが有利である。また、中敷きのつま先部分は、歩行中またはランニング中、足の自然な動きを可能するために、硬質の熱可塑性樹脂がないまますべきである。
【００１９】
本考案の１つの主要な態様は、１ピースで用意され、含まれている熱可塑性樹脂のガラス転移温度以上の温度まで加熱が容易である中敷きのプレフォームを製造することに関する（ピースは、接着剤などでともに結合される別個の層を有してもよい）。好ましくは、冷却後、中敷きは、足の位置を矯正し、足、特に、足底弓と横足弓とを支持するワンピース構造となる。足底弓は、支持体の表面に対してつま先を保持しながら、依頼者のつま先上部を引っ張ることによっておよび／または依頼者の踵上部を引き上げることによって調整できる（windlass effect：ウインドラス効果）。この調整は、さらに手を用いて案内するしないに関係なく、ソフトパッドで実施できる。また、訓練された人であれば、支持面がなくても、手だけで的確な結果を得ることもできる。
【００２０】
代わりに、足の不適正な位置を矯正するために、依頼者の足に従った形状にすることができる靴底を有する靴を提供してもよい。この場合、その靴は、熱可塑性樹脂の少なくとも１つの層を有している。有利には、その靴は、全ての必要な層を含んで製造され、購入時に各人に合わせられる。適切な靴には、例えば、種々のタイプのウォーキングシューズ、運動靴、長靴、サンダルおよびソフトジム用靴が含まれる。
【００２１】
有利には、靴底は、少なくとも二つの部分の構造を有し、この構造は、熱可塑性樹脂層を含み、該熱可塑性樹脂層は、靴底材の上面に設けられる、または、例えばその中に埋設するなどして統合される。熱可塑性樹脂層を除く、１または複数の靴底層は、例えば、ＥＶＡ（エチルビニルアセテート）、または他の既知の材料を含んでもよく、たとえば、上述のＥＶＡは異なる硬度のものでも使用可能である。１つ以上の層がある場合、熱可塑性樹脂層は、靴全体よりも横方向において小さくしてもよい。熱可塑性樹脂層が、少なくとも、足の踵の下から足底弓の下まで、中敷きと同様に延びることが本質的である。熱可塑性樹脂は、中敷きと同じ方法で選ぶことができる。有利には、靴底の少なくとも外表面を、耐摩耗性を有する、摩擦性のよい材料とするのがよい。任意であるが、たとえば、粘弾性発泡体または他の材料を靴の内部に使用してもよく、それらは感熱性であってもよく、それによって、靴の内部もただ中敷きを加えて再整形し、さらなる快適性／支持を提供する。本実施形態によれば、足および足首の骨構造をきつく支持する非常に快適な個人用靴であると断言できる。このことは、依頼者がたとえば糖尿病またはリュウマチを患い、靴が足にいずれの摩擦または異常な圧力を生じさせない場合には、非常に重要なことである。
【００２２】
さらなる代替案では、靴（歩行用、スポーツ用、特殊訓練用など）、スケート、スキーブーツ、などのような履物は、本考案に従う予め取り付けられる中敷きとともに注文でき、該中敷きは使用前に個人用にされなければならない。本考案の中敷きを受ける靴の内側の層は、有利には中敷き形状に適合しなければならない。任意ではあるが、たとえば、粘弾性発泡体または感熱性であってもよい他の材料が靴の内部に使用されてもよく、それによって靴の内部もただ中敷きを加えて再整形する。
【００２３】
図２は、ほんの一例として、小売店による依頼者に個々に形成される中敷きを提供する方法の流れ図を示す。中敷きはそのようなものとして、またはデフォルトで本考案の中敷きを含んですらよい靴に設けられてもよい。同様に、本考案の型取り製造可能な中敷きを含む靴は、以下に説明される方法を通して注文することができる。
【００２４】
本概念は、譲渡を受けてからたった数分でカスタマイズされた中敷きを完成することを可能にする。中敷きは販売スポット、足分析装置、およびカスタマイズされた中敷きを製造する装置を含む完全なサービスパッケージの一部として販売者に提供される。サービスパッケージは、また、（集中）講義または日課ベースであってもよい教育プログラムを通して販売員を訓練することを含んでもよい。
【００２５】
工程２０２では、方法が開始される。小売業者の店舗で使用するために、販売スポットが準備される（２１８）。販売スポットは、有利には、分析製造ユニットとして、ともに一体化された多数の別個の要素を含む装置として提供されてもよい。該装置は、顧客に適切に整形された中敷きを速やかに提供する必要な手段を含む。特に、該装置は足分析手段と、好ましくは中敷き製造手段の一部を統合ユニットに一体化するためのフレームとを含む。
【００２６】
図３ａは、該装置の一例を示している。該装置３００は、好ましくはポドスコープ３０２、カメラシステム３０４およびコンピュータ３０６を好ましくは有する足分析手段を含む。ポドスコープは、定義では、足と支持面との相互作用を分析するための装置である。依頼者はポドスコープの透明なガラスプレートの上に立ち（図４中のスケッチ４０２の参照符４０４を参照）、そこで測定を行っている人に鏡を通して、依頼者の足の像が示される。下部スケッチ４１０を参照。足分析手段は、好ましくは、光学スキャナ、カメラ、または依頼者の足とその位置（誤差）を光学的および／または電気的に撮像する他の適切な装置などの画像データ取得手段３０４をさらに有する（図４の符号４０６を参照）。このような撮像技術は、小売店での将来の使用および保管目的のために依頼者に依存するデータを保存することを可能にする。
【００２７】
画像データ取得手段３０４は、好ましくはコンピュータ３０６（図５の符号５０２を参照）に結合され、該コンピュータは、たとえば随意に拡大された足の画像、シルエットなどの、異なる表示を、集められたデータに基づいてディスプレイ上に可視化するよう構成されている。訓練された販売員は、可視化された画像を通じて、依頼者に、足の位置において見出された問題を指摘し、その状況が本考案に従うカスタムメイドの中敷きによって実際にどのように改善できるのかを説明してもよい。コンピュータはデータ、好ましくは依頼者特有のデータを保存するように構成されてもよい。コンピュータに代えて、またはコンピュータに加えて、画像データ取得手段３０４に結合されたプリンタが、足の画像を可視化するために使用可能であり、これによって印刷された画像が保存されてもよい。また、コンピュータは、それ自身のデータ転送インターフェース、たとえばネットワークインターフェースを含んでもよく、または別個のデータ転送インターフェースが、それらにまたはデータ取得手段に直接連結されて取得したデータを、販売チェーンの中央サーバ、または依頼者が許可するのであれば、第三者のデータベースなどの外部装置に転送してもよい。
【００２８】
足分析手段は、それぞれフレーム３０８に相互に連結される。フレームはポドスコープ３０２のためのハウジング３０８ａと、垂直支持体３０８ｂと、コンピュータ３０６および／またはプリンタのための水平支持体３０８ｃとを含む。
【００２９】
ハウジング３０８ａは基礎台として設計されており、そこにポドスコープの上層（すなわち、ガラスプレート）とハウジングの上層とが実質的に同一面上にあるように、ポドスコープ３０２が埋設される。換言すれば、ハウジング３０８ａの高さは、ポドスコープ３０２の高さと、電力線とポドスコープ３０２の結合ケーブルに必要な空間によって主として決定され、依頼者がそれを踏みつけやすくなるように、好ましくは５〜２５ｃｍの範囲、さらに好ましくは１０〜２０ｃｍの範囲にある。さらに、ハウジングは、好ましくは、ポドスコープの境界の周囲の余白が存在するように設計されてもよく、これによってハウジングの上層の幅および奥行きが水平面においてポドスコープの境界を数ｃｍ越えて延びる。このことは、依頼者がハウジングを踏みつけてその上に安定して立つのを容易にし、一方ではハウジングの機械的構造を堅牢にすることができる。
【００３０】
垂直支持体３０８ｂは、依頼者がポドスコープを邪魔されることなく踏みつけてもよいようにハウジング３０８ａの境界に結合される。画像データ取得手段３０４、すなわち、カメラまたは光学スキャナは、垂直支持体の下部に結像され、好ましくは埋設される。垂直支持体３０８ｂにはポドスコープに向けられた鏡が備えられてもよく、これは依頼者がハウジングを踏みつけてその上に安定して立つことをさらに容易にする。垂直支持体３０８ｂはまた、ポドスコープ３０２と画像データ取得手段３０４とコンピュータ３０６との間の結合ケーブルのためのハウジングとしても機能する。さらに、垂直支持体の上端には、依頼者がハウジングの上に立っている状態でバランスをとるのを容易にするハンドグリップ３０８ｄが設けられてもよい。
【００３１】
水平支持体３０８ｃは、垂直支持体３０８ｂの上部に結合されているが、コンピュータ３０６および／またはプリンタのための面として使用されるようになっている。このようにして、水平支持体３０８ｃの寸法は、好ましくは、ラップトップＰＣが前記支持体の頂部で固定的に配置可能なように選択される。水平支持体３０８ｃは、該面からコンピュータ３０６および／またはプリンタが落ちることを防ぐために、該面の１以上の境界、好ましくは少なくとも背面側境界上に立上りエッジまたはボーダーリスト３０８ｅを含んでもよい。水平支持体３０８ｃは、コンピュータ３０６および／またはプリンタをポドスコープ３０２および画像データ取得手段３０４を結合するための予め組み込まれたインターフェースを含んでいてもよい。
【００３２】
このような装置の利点は明らかである。装置に必要とされる床面積は非常に小さく、すなわち０．５ｍ2未満であり、これによって、都合がよいことに小さな小売店でも導入可能である。装置はいずれの固定設置を必要としないので、小売店内またはある店から他の店へ容易に持ち運び可能である。さらに、該装置の設計および寸法は、依頼者の足の分析処置の間依頼者に対して最適な人間工学を提供するように適合される。
【００３３】
実施形態に従えば、分析製造ユニットとしてともに必要な要素を一体化するという考えは、該装置に可撓性材料から成る１以上の型取りパッド（すなわち枕／クッション）を有する型スタンドを含むことによって、さらに強化される。本実施形態は、図３ｂに図示されている。そこでは、図３ａに図示されたような装置には、ポドスコープ３０２の上方に配置された型取りパッド３１０がさらに備えられる。型取りパッド３１０は、好ましくは、取り外し可能であり、すなわち、それは独立要素であり、加熱された中敷きプレフォームが依頼者に対して適切な形状に成形されるときには、ハウジング３０８ａの上に置くことができる。代わりに、型取りパッド３１０とハウジング３０８ａとの間にレールまたはヒンジがあってもよく、このことは型取りパッド３１０をポドスコープ３０２の頂部に除去させるが、型取りパッドはハウジング３０８ａに依然として残っている。さらに、型取りパッドを固定的にハウジング３０８ａに取り付ける手段があってもよく、該手段は、たとえば型取りパッドの境界が嵌合するハウジングの溝、または型取りパッド３１０とハウジング３０８ａとの間に設けられる滑り止め表面、またはたとえばラッチを備える幾種類かの固定システムを含んでもよい。
【００３４】
販売スポットは、そのようなものとして、好ましくは、変化する特性（サイズ、厚み、基本的な設計など）を有する、多数の中敷きプレフォーム（好ましくは、たとえば段ボールから成る、軽量で、場所をとらず、少なくとも部分的に中の見えるケースに梱包される）を有するスタンドまたは棚と、中敷きプレフォームを加熱するための加熱炉のような、加熱システム（図５の符号５０４を参照）と、をさらに含む。
【００３５】
さらにまた、開始フェーズには、本考案の中敷きの販売とカスタマイズ工程について販売員および他の人材を教育するプロセス２２０が含まれる。本考案を実施するためのフローに戻ると、工程２０４は、依頼人に特定された分析フェーズであって、かかるフェーズにおいて、訓練された販売員が、依頼人の足を手や目視によって調べることによって、または依頼人から聴き取りを行って、好ましくは、これら両方を行って、依頼人のニーズをまず調べる。
【００３６】
工程２０６では、適切な一足のプレフォームが既に決定されており、それらがそれらに導入される物理的力に対する応答として少なくとも予め規定された部分の再形成を可能にする温度まで加熱される。上述で説明したようなプレフォームのための材料選択は、依頼者によって依然として許容可能な予め定める部分に対する軟化温度、たとえば８５℃を保証する。プレフォームを合理的な高温、前述の８５℃に加熱したのち、依頼者の観点から７０〜７５℃のような、より都合よく読み取れるところまで低下するまで待つことが好ましい。代わりに、依頼者は、靴下または高温から足を断熱するための対応する保護材を着用してもよい。加熱装置は、有利には、依頼者に迅速なサービスを提供するために、加熱完了までの時間を好ましくは数分以下となるように選択され、構成されている。
【００３７】
工程２０８では、加熱されたプレフォームは、好ましくは、たとえば型スタンドの型取りパッドの上に配置され、依頼者が靴底を通じてプレフォーム表面に力を導入するように指示する一方で、販売員は依頼者の足を適切な位置に案内し、中敷きを物理的相互作用によって、たとえば指先で手作業で整形して、足に適合させ、本考案の原則に従った改良された型を達成する。図２の工程２１０および図５の符号５０６を参照のこと。整形は、たとえば元の中敷き形状／面から所望の方向に突起を導入することに言及されてもよい。さらに、依頼者は、プレフォームの上に立って、実際の体重をかける姿勢に対応する必要な圧力を導入してもよい。
【００３８】
工程２１２では、販売員が、各中敷きが依頼者のそれぞれの足（靴底）に適合し、改善された足の位置および身体の姿勢を提供しているかどうかをチェックする。図５の符号５０８および５１０を参照。微調整をしなければならない場合、該方法は、工程２０６、２０８または２１０のような適切な先行する工程に再度向けられてもよい。さもなければ、個々に形成された中敷きが依頼者の靴に適合しており、２２４など、境界領域を切断するようなわずかな調整を必要としてもよい。方法の実行は、工程２１６で終了する。それは、中敷きの温度が熱可塑性樹脂のガラス転移温度以下に下がるまで待ち、その後中敷きを利用することができる。当該販売者が、顧客登録を維持したい、またはこの情報を販売チェーン、中敷きの製作者またはいくつかの他の第三者によって維持される可能性のある中央登録に送りたい場合には、顧客データは、同じ依頼者に関する将来のビジネスを容易にするために蓄積されてもよい（２２６）。これは、好ましくは、依頼者によって、個人情報を蓄積するための明確な了解を得た後にのみ起こることである。工程２２６は依頼者に、中敷きの手入れの指示を提供することを含んでいてもよい。
【００３９】
上記の方法が一足の中敷きに関する観点から記載されたものであるけれども、それは好適なシナリオであるが、片方の中敷き（または片方の靴）を提供することとしてもよい。
【００４０】
本考案においては、靴に配置されるべきまたは靴または他の履物が備える可能性のあるライナまたは他の要素／層は、類似の効果と全般的な適用性を特徴とする、本考案の中敷きとみなされ得る。
【００４１】
同様に、本考案の靴は、上述の方法の精神において提供されてもよい。特に、靴底またはその一部は、中敷きに関して上述に示した考えに従うことによって構成されてもよい。たとえば、ソフトジム用靴、バレエ用靴、サンダル、または加熱後手作業で成形するのに適した十分に柔軟な部分を有する他の種の靴の靴底が適宜再形成可能である。
【００４２】
加熱に代えて、プレフォームは、埋め込まれた熱可塑性樹脂材料以外のものを用いて再整形することも可能である。例えば、ある樹脂は、予め定められた化学物質を用いることによって硬化することができる。しかしながら、それらを適用においては、依頼者の足の上で、プレフォームをリアルタイムでの問題のない再整形を可能にする材料を選択することが重要である。例えば、再整形中に、またはその後に、依頼者に日焼けなどの健康障害を及ぼしてはならない。
【００４３】
人間に加えて、本考案は動物の特製履物の製造にも適用される。
当業者であれば、上記の実施形態のいずれであっても、ある実施形態が互いに単に代替にすぎないと明示的、または非明示的に述べられていない限り、他の実施形態の１または複数との組合わせとして実施可能であることを理解するであろう。
【００４４】
本考案は、上記で示された実施形態にのみに限定されず、添付の請求項の範囲内で変更可能であることは明らかである。
【図１】
0003152863.tif 000003
【図２】
0003152863.tif 000004
【図３ａ】
0003152863.tif 000005
【図３ｂ】
0003152863.tif 000006
【図４】
0003152863.tif 000007
【図５】
0003152863.tif 000008